(57)【要約】【課題】本発明は、動物や植物等、生物の成長過程を画像として表示する画像表示装置において、動物や植物等の生物を、現実的な感覚で成長させて表示することを目的とする。【解決手段】予めＲＯＭ２３に記憶された第１〜第２１成長度「Ｍ＝１〜２１」の植物キャラクタの１つを液晶表示部２６に表示させた状態で、タイマ２１ａからの計時パルス信号によりＲＡＭ２４内の計時データが更新され、この計時データに基づき１時間経過が判断される毎に、温度センサ２８及び照度センサ２９により周囲環境温度及び照度が検出されて温度累積レジスタ及び照度累積レジスタに順次累積されて記憶され、２４時間経過した際の温度及び照度の各累積値がそれぞれ一定値以上であるか否かを判別し、この判別結果に応じて、新たな成長度又は現在の成長度に対応する植物キャラクタが前記ＲＯＭ２３から選択されて表示される。【選択図】      図９
2008052300.tif 000002
【特許請求の範囲】
【請求項１】
生物の成長過程それぞれに対応した生物画像が複数記憶されている生物画像記憶手段と、外部環境を検出する環境検出手段と、
この環境検出手段による外部環境の検出結果に応じて、前記生物画像記憶手段に記憶された複数の生物画像のなかから、次の成長過程の生物画像を読み出して表示する表示制御手段と、
を備えたことを特徴とする画像表示装置。
【請求項２】
時間を計時する計時手段と、
この計時手段により計時された時間が一定時間経過する毎に、前記環境検出手段に対し外部環境の検出を行なわせる環境検出制御手段と、を更に備えたことを特徴とする請求項１に記載の画像表示装置。
【請求項３】
前記環境検出手段は、温度を検出する温度センサ、照度を検出する照度センサ、湿度を検出する湿度センサのうちの、少なくとも一つであることを特徴とする請求項１又は請求項２に記載の画像表示装置。
【請求項４】
時間を計時する時間計時ステップと、
外部環境を検出する環境検出ステップと、
前記時間計時ステップにより計時された時間が予め定められた時間を経過する都度、前記環境検出ステップによる外部環境の検出結果に応じて、生物画像記憶手段に記憶されている、生物の成長過程それぞれに対応した複数の生物画像のなかから、次の成長過程の生物画像を読み出して表示する表示制御ステップと、
を備えたことを特徴とする画像表示方法。
【請求項５】
外部環境を検出する環境検出ステップと、
この環境検出ステップによる外部環境の検出結果に応じて、生物画像記憶手段に記憶されている、生物の成長過程それぞれに対応した複数の生物画像のなかから、次の成長過程の生物画像を読み出して表示する表示制御ステップと、
を備えたことを特徴とする画像表示方法。
【請求項６】
時間を計時する計時ステップと、
この計時ステップにより計時された時間が一定時間経過する毎に、前記外部環境の検出を行なうように制御する環境検出制御ステップと、
を更に備えたことを特徴とする請求項５に記載の画像表示方法。
【発明の詳細な説明】
【技術分野】
【０００１】
本発明は、例えば携帯可能な電子式の手帳や電子ゲーム器等の電子機器において、動物や植物等の生物の成長過程を画像として表示する画像表示装置及び画像表示方法に関する。
【背景技術】
【０００２】
一般に、画像表示装置において、動植物等の生物のキャラクタ画像の成長過程を表示させるには、対象となる生物の各成長過程での複数画像を画像メモリに予め記憶させ、この画像メモリに記憶された複数画像を順番に読出して切換えて表示させるか、あるいは順番に配列して１画面上に表示させるか等の手段が考えられる。
【発明の開示】
【発明が解決しようとする課題】
【０００３】
しかしながら、前記のように考えられる画像表示装置では、生物の成長過程を画像として見ることはできるものの、実際にどのような条件が与えられた場合にどの程度成長するか等、現実的な感覚で成長させ表示することはできないため、例えば動植物の育て方を実習するには、本物の動植物を飼育しなければならず、大掛りなセットが必要になる問題がある。
【０００４】
本発明は前記課題に鑑みなされたもので、現実に存在する動物や植物等の生物を、現実的な感覚で成長させる場合と同様に、各成長過程の生物画像を表示することが可能になる画像表示装置及び画像表示方法を提供することを目的とする。
【課題を解決するための手段】
【０００５】
すなわち、本発明の請求項１に係わる画像表示装置は、生物の成長過程それぞれに対応した生物画像が複数記憶されている生物画像記憶手段と、外部環境を検出する環境検出手段と、この環境検出手段による外部環境の検出結果に応じて、前記生物画像記憶手段に記憶された複数の生物画像のなかから、次の成長過程の生物画像を読み出して表示する表示制御手段とを備えたことを特徴とする。
【０００６】
つまり、本発明の請求項１に係わる画像表示装置では、外部環境を検出する環境検出手段による外部環境の検出結果に応じて、生物画像記憶手段に記憶された、生物の成長過程それぞれに対応した複数の生物画像のなかから、次の成長過程の生物画像が読み出されて表示されることになる。
【０００７】
また、本発明の請求項２に係わる画像表示装置は、前記請求項１に係わる画像表示装置にあって、時間を計時する計時手段と、この計時手段により計時された時間が一定時間経過する毎に、前記環境検出手段に対し外部環境の検出を行なわせる環境検出制御手段とを更に備えたことを特徴とする。
【０００８】
つまり、本発明の請求項２に係わる画像表示装置では、時間を計時する計時手段により計時された時間が一定時間経過する毎に、外部環境を検出する環境検出手段にて外部環境の検出が行なわれ、この外部環境の検出結果に応じて、生物画像記憶手段に記憶された、生物の成長過程それぞれに対応した複数の生物画像のなかから、次の成長過程の生物画像が読み出されて表示されることになる。
【０００９】
また、本発明の請求項３に係わる画像表示装置は、前記請求項１又は請求項２に係わる画像表示装置にあって、前記環境検出手段を、温度を検出する温度センサ、照度を検出する照度センサ、湿度を検出する湿度センサのうちの、少なくとも一つとしたことを特徴とする。
【００１０】
つまり、本発明の請求項３に係わる画像表示装置では、温度センサ又は照度センサ又は湿度センサのうちの少なくとも１つのセンサによる外部環境としての温度又は照度又は湿度の検出結果に応じて、生物画像記憶手段に記憶された、生物の成長過程それぞれに対応した複数の生物画像のなかから、次の成長過程の生物画像が読み出されて表示されることになる。
【発明の効果】
【００１１】
以上のように、本発明の請求項１に係わる画像表示装置によれば、外部環境を検出する環境検出手段による外部環境の検出結果に応じて、生物画像記憶手段に記憶された、生物の成長過程それぞれに対応した複数の生物画像のなかから、次の成長過程の生物画像が読み出されて表示されるようになる。
また、本発明の請求項２に係わる画像表示装置によれば、時間を計時する計時手段により計時された時間が一定時間経過する毎に、外部環境を検出する環境検出手段にて外部環境の検出が行なわれ、この外部環境の検出結果に応じて、生物画像記憶手段に記憶された、生物の成長過程それぞれに対応した複数の生物画像のなかから、次の成長過程の生物画像が読み出されて表示されるようになる。
また、本発明の請求項３に係わる画像表示装置によれば、温度センサ又は照度センサ又は湿度センサのうちの少なくとも１つのセンサによる外部環境としての温度又は照度又は湿度の検出結果に応じて、生物画像記憶手段に記憶された、生物の成長過程それぞれに対応した複数の生物画像のなかから、次の成長過程の生物画像が読み出されて表示されるようになる。
【００１２】
したがって、本発明によれば、外部環境の検出結果に応じて、現実の動物や植物等の生物を、現実的な感覚で成長させる場合と同様に、各成長過程の生物画像を表示することが可能になる。
【発明を実施するための最良の形態】
【００１３】
以下図面により本発明の第１実施形態について説明する。図１は本発明の画像表示装置を搭載した第１の電子手帳の電子回路の構成を示すブロック図である。
【００１４】
この第１の電子手帳は、ＣＰＵ（中央処理装置）１１を備えている。前記ＣＰＵ１１は、キー入力部１２からのキー操作信号に応じて起動されるＲＯＭ１３に予め記憶されたシステムプログラムに従って回路各部の動作制御を司るもので、このＣＰＵ１１には、キー入力部１２，ＲＯＭ１３，ＲＡＭ１４の他、表示駆動回路１５を介して液晶表示部１６が接続されている。
【００１５】
前記キー入力部１２には、手帳データとして登録させる「名前」や「電話番号」を入力したり、検索データの選択を数値指定により行なうための文字キー１２ａやテンキー１２ｂが設けられていると共に、手帳モードと画像表示モードとを切換える際に操作される「モード」キー１２ｃ、手帳モードではＲＡＭ１４に登録された手帳データを検索表示する際に操作され、画像表示モードではＲＯＭ１３に予め記憶された植物を成長させるための複数種類の要素データ（水，光，肥料）を検索表示する際に操作される「検索」キー１２ｄ、手帳モードでは前記文字キー１２ａ及びテンキー１２ｂの操作に応じて入力された手帳データをＲＡＭ１４に登録させる際に操作され、画像表示モードでは前記「検索」キー１２ｄの操作により表示された要素データそれぞれの量を前記テンキー１２ｂにより数値指定して選択した後に該選択量に応じた各要素を植物に与える際に操作される「書込み」キー１２ｅ等が設けられている。
【００１６】
前記ＲＯＭ１３には、ＣＰＵ１１を制御動作させるためのシステムプログラムの他、生物を成長させるための要素画像データ、及び植物の成長過程に対応する複数の植物画像データが予め記憶されている。
【００１７】
図２は前記第１の電子手帳のＲＯＭ１３に予め記憶された要素画像データを示す図である。すなわち、ＲＯＭ１３に記憶されている要素画像データとしては、３種類の要素キャラクタデータ（水，光，肥料）がそれぞれ異なる量「無量(1) ，少量(2) ，普通(3) ，多量(4) 」に対応付けられてビットマップデータとして記憶されている。
【００１８】
図３は前記第１の電子手帳のＲＯＭ１３に予め記憶されている植物画像データを示す図である。すなわち、ＲＯＭ１３に記憶されている植物画像データとしては、「Ｍ＝０〜５」でアドレスされる６段階の植物成長過程それぞれに応じた植物キャラクタデータがビットマップデータとして記憶されている。
【００１９】
図４は前記第１の電子手帳のＲＡＭ１４に備えられるレジスタの構成を示す図である。すなわち、前記ＲＡＭ１４には、「名前」及び「電話番号」からなる所定人数分の手帳データが手帳データポインタＰで示されるアドレスに登録される手帳データレジスタ１４ａ、液晶表示部１６に表示させるべき被表示データがイメージデータとして書込まれる表示レジスタ１４ｂ、手帳モードで“０”，画像表示モードで“１”にセットされるモードフラグレジスタＮ、前記ＲＯＭ１３に記憶されている植物キャラクタデータ（図３参照）のアドレスを示す植物アドレスレジスタＭ、及び画像表示モードにおける「書込み」キー１２ｅの操作に伴ない選択設定された各要素量に対応する数値データが格納される水量レジスタ１４ｃ，光量レジスタ１４ｄ，肥料量レジスタ１４ｅが備えられている。
【００２０】
前記液晶表示部１６には、手帳モードでは、文字キー１２ａ及びテンキー１２ｂの操作に応じて入力された手帳データか、あるいは「検索」キー１２ｄの操作に応じてＲＡＭ１４の手帳データレジスタ１４ａから検索された手帳データの何れかが表示される。
【００２１】
また、画像表示モードでは、「検索」キー１２ｄの操作に応じてＲＯＭ１３から読出された各要素毎のキャラクタデータか、あるいはＲＡＭ１４の植物アドレスレジスタＭにて示される植物アドレスに応じてＲＯＭ１３から読出された何れか１つの成長過程にある植物キャラクタデータが表示される。
【００２２】
ここで、前記ＲＡＭ１４内の植物アドレスレジスタＭには、前記画像表示モードにおける「書込み」キー１２ｅの操作により水量レジスタ１４ｃ，光量レジスタ１４ｄ，肥料量レジスタ１４ｅにそれぞれセットされた各要素量に応じた成長度に対応する何れか１つの植物アドレス“０”〜“５”が選択されてセットされる。
【００２３】
次に、前記構成による第１の電子手帳の動作について説明する。図５は前記第１の電子手帳の全体処理を示すフローチャートである。すなわち、キー入力部１２における「モード」キー１２ｃを操作した際に、ＲＡＭ１４のモードフラグレジスタＮに“０”がセットされている場合、つまり、現在、ＣＰＵ１１が手帳モードに設定されている場合には、該モードフラグレジスタＮに“１”がセットされ、ＣＰＵ１１は画像表示モードに切換え設定される（ステップＳ１→Ｓ２→Ｓ３）。
【００２４】
また、前記「モード」キー１２ｃを操作した際に、ＲＡＭ１４のモードフラグレジスタＮに“１”がセットされている場合、つまり、現在、ＣＰＵ１１が画像表示モードに設定されている場合には、該モードフラグレジスタＮに“０”がセットされ、ＣＰＵ１１は手帳モードに切換え設定される（ステップＳ１→Ｓ２→Ｓ４）。
【００２５】
そして、前記ＲＡＭ１４のモードフラグレジスタＮに“０”がセットされている手帳モードにあっては、ＣＰＵ１１により手帳モード処理（図６参照）が実行される（ステップＳ５→ＳＡ）。
【００２６】
また、モードフラグレジスタＮに“１”がセットされている画像表示モードにあっては、ＣＰＵ１１により画像表示モード処理（図７参照）が実行される（ステップＳ５→ＳＢ）。
【００２７】
図６は前記第１の電子手帳における手帳モード処理を示すフローチャートである。すなわち、ＲＡＭ１４のモードフラグレジスタＮに“０”がセットされている手帳モードにあって、キー入力部１２の文字キー１２ａ及びテンキー１２ｂを操作して「名前」「電話番号」等の手帳データを入力すると、そのキー入力手帳データは、ＣＰＵ１１から表示駆動回路１５を介して液晶表示部１６に順次表示される（ステップＡ１→Ａ２，Ａ３）。
【００２８】
また、キー入力部１２の「書込み」キー１２ｅを操作すると、現在、液晶表示部１６に表示されている手帳データがＲＡＭ１４の手帳データレジスタ１４ａに登録される（ステップＡ４→Ａ５）。
【００２９】
また、キー入力部１２の「検索」キー１２ｄを操作すると、そのキー操作毎にＲＡＭ１４の手帳データポインタＰが（＋１）されて更新され、手帳データレジスタ１４ａに登録されている所定人数の手帳データが順次検索されると共に、該検索された手帳データはＣＰＵ１１にて読出され、表示駆動回路１５を介して液晶表示部１６に表示される（ステップＡ６→Ａ７，Ａ３）。
【００３０】
図７は前記第１の電子手帳における画像表示モード処理を示すフローチャートである。図８は前記第１の電子手帳における画像表示モード処理に伴なうキャラクタ表示状態を示す図であり、同図（Ａ）は植物アドレス「Ｍ＝１」に対応する植物キャラクタの表示状態を示す図、同図（Ｂ）は各要素量の選択に伴なう水要素キャラクタの表示状態を示す図、同図（Ｃ）は各要素量の選択書込みにより新たに選択された植物アドレス「Ｍ＝２」に対応する植物キャラクタの表示状態を示す図である。
【００３１】
すなわち、図７における画像表示モード処理おいて、例えば、現在、ＲＡＭ１４内の植物アドレスレジスタＭに“１”がセットされている場合には、まず、ＲＯＭ１３内の植物アドレス「Ｍ＝１」に対応する第２成長度の植物キャラクタ（図３参照）がＣＰＵ１１にて読出され、図８（Ａ）に示すように、液晶表示部１６に表示される（ステップＢ１）。
【００３２】
ここで、前記液晶表示部１６に表示された第２成長度の植物キャラクタに与える成長要素の量を選択すべく、図８（Ｂ）に示すように、キー入力部１２の「検索」キー１２ｄを操作すると、まず、ＲＯＭ１３に要素画像データ（図２参照）として記憶されている水要素の各量 (1)〜(4) をそれぞれ表わす「１」〜「４」とこれらに対応する水要素キャラクタがＣＰＵ１１にて読出され液晶表示部１６に表示される（ステップＢ２→Ｂ３）。
【００３３】
こうして、液晶表示部１６に表示された水要素キャラクタ (1)〜(4) に対して、例えばテンキー１２ｂの「３」を操作して普通量(3) を選択すると、その選択量(3) に対応する数値データ“３”がＲＡＭ１４内の水量レジスタ１４ｃにセットされる（ステップＢ４）。
【００３４】
すると、液晶表示部１６には、前記水要素キャラクタ (1)〜(4) に替わって光要素キャラクタ (1)〜(4) （図２参照）が読出されて表示されるので、この光要素キャラクタ (1)〜(4) に対して、再びテンキー１２ｂの「３」を操作して普通量(3) を選択すると、その選択量(3) に対応する数値データ“３”がＲＡＭ１４内の光量レジスタ１４ｄにセットされる（ステップＢ５→Ｂ３，Ｂ４）。
【００３５】
すると、液晶表示部１６には、前記光要素キャラクタ (1)〜(4) に替わって肥料要素キャラクタ (1)〜(4) （図２参照）が読出されて表示されるので、この肥料要素キャラクタ (1)〜(4) に対して、再びテンキー１２ｂの「３」を操作して普通量(3) を選択すると、その選択量(3) に対応する数値データ“３”がＲＡＭ１４内の肥料量レジスタ１４ｅにセットされる（ステップＢ５→Ｂ３，Ｂ４）。
【００３６】
こうして、量の選択が為された各成長要素（水，光，肥料）を前記ステップＢ１において液晶表示部１６に表示された第２成長度の植物キャラクタに与えるべく、「書込み」キー１２ｅを操作すると、前記ＲＡＭ１４内の各要素量レジスタ１４ｃ〜１４ｅにセットされた数値データが検索され、まず、全要素（水，光，肥料）に対して同じ量が選択されたか否か判断される（ステップＢ５→Ｂ６）。
【００３７】
この場合、水量，光量，肥料量とも全て普通量(3) が選択されているので、前記ステップＢ６では「ＹＥＳ」と判断され、次に、その同量選択された数値データが“３”（普通量）又は“４”（多量）かが判断される（ステップＢ６→Ｂ７）。
【００３８】
つまり、このステップＢ６，Ｂ７では、各成長要素（水，光，肥料）がバランス良く十分に与えられたか否か判断されるもので、この場合、水量，光量，肥料量とも全て普通量(3) が選択されているので、ステップＢ７でも「ＹＥＳ」と判断され、次に、ＲＡＭ１４の植物アドレスレジスタＭが検索されて、現在の成長度に対応する植物アドレスが、「Ｍ＝４」又は「Ｍ＝５」か、つまり、現在、第５成長度の最高成長状態にあるか又は第６成長度の成長終了状態にあるかが判断される（ステップＢ７→Ｂ８）。
【００３９】
この場合、ＲＡＭ１４内の植物アドレスレジスタＭは“１”にセットされており、現在の植物成長度は第２成長度にあるので、前記ステップＢ８では「ＮＯ」と判断され、この第２成長度に対応する植物アドレス「Ｍ＝１」は（＋１）されて第３成長度に対応する「Ｍ＝２」に更新される（ステップＢ８→Ｂ９）。
【００４０】
すると、前記更新された植物アドレス「Ｍ＝２」に対応する第３成長度の植物キャラクタ（図３参照）がＣＰＵ１１に読出され、図８（Ｃ）に示すように、液晶表示部１６に入替え表示される（ステップＢ１０）。
【００４１】
すなわち、現在の植物成長度が第１成長度「Ｍ＝０」から第４成長度「Ｍ＝３」にあって、各成長要素（水，光，肥料）がバランス良く十分に与えられた場合には、植物アドレスＭが（＋１）されて更新され、１ステップ成長した植物キャラクタが表示されるようになる。
【００４２】
また、前記ステップＢ６，Ｂ７において「ＹＥＳ」、つまり、各成長要素（水，光，肥料）がバランス良く十分に与えられたと判断されても、前記ステップＢ８において「ＹＥＳ」、つまり、現在の植物成長度が第５成長度「Ｍ＝４」の最高成長状態にあるか又は第６成長度「Ｍ＝５」の成長終了状態にあると判断された場合には、植物アドレスＭは“０”にセットされ、対応する第１成長度の植物キャラクタ（図３参照）が液晶表示部１６に入替え表示される（ステップＢ８→Ｂ１１，Ｂ１０）。
【００４３】
さらに、前記ステップＢ６において「ＹＥＳ」、つまり、各成長要素（水，光，肥料）の選択量が同量であると判断されても、前記ステップＢ７において「ＮＯ」、つまり、同量選択された数値データが“１”（無量）又は“２”（少量）で十分ではないと判断された場合には、植物アドレスＭは更新されず、前記ステップＢ１において表示されたた植物キャラクタと同一成長度の植物キャラクタ（この場合、第２成長度「Ｍ＝１」）がそのまま成長しない状態で液晶表示部１６に表示される（ステップＢ７→Ｂ１０）。
【００４４】
一方、前記ステップＢ６において「ＮＯ」、つまり、各成長要素（水，光，肥料）の選択量が同量でないと判断された場合で、ステップＢ１２において「ＹＥＳ」、つまり、各成長要素（水，光，肥料）それぞれの選択量として、無量(1) と多量(4) とが混在して有り、非常にバランスが悪いと判断された場合には、ステップ１３において、現在の植物アドレスＭが“０”か否かが判断され、「Ｍ＝０」と判断された場合には、その第１成長度「Ｍ＝０」に対応する植物キャラクタ（図３参照）がそのまま成長せずに液晶表示部１６に表示される（ステップＢ１２→Ｂ１３→Ｂ１０）。
【００４５】
また、前記ステップＢ１２において「ＹＥＳ」、つまり、各成長要素（水，光，肥料）それぞれの選択量として、無量(1) と多量(4) とが混在して有り、非常にバランスが悪いと判断された場合で、ステップＢ１３において「ＮＯ」、つまり、現在の植物アドレスＭが“１”（第２成長度）〜“５”（第６成長度）の範囲にあると判断された場合には、その植物アドレスＭは“５”（第６成長度）にセットされ、最終成長度の状態にある枯れた植物キャラクタ（図３参照）が液晶表示部１６に入替え表示される（ステップＢ１２→Ｂ１３→Ｂ１４，Ｂ１０）。
【００４６】
さらに、前記ステップＢ１２において「ＮＯ」、つまり、各成長要素（水，光，肥料）それぞれの選択量として、無量(1) と多量(4) とが混在して無く、非常にバランスの悪い状態ではないと判断された場合には、植物アドレスＭは更新されず、前記ステップＢ１において表示されたた植物キャラクタと同一成長度の植物キャラクタがそのまま成長しない状態で液晶表示部１６に表示される（ステップＢ１２→Ｂ１０）。
【００４７】
したがって、前記構成の第１の電子手帳によれば、予めＲＯＭ１３に記憶された第１〜第６成長度「Ｍ＝０〜５」の植物キャラクタの１つを液晶表示部１６に表示させた後、同ＲＯＭ１３に記憶されている植物成長要素（水，光，肥料）の各キャラクタを表示させ、そのそれぞれの量をキー入力部１２で数値指定して選択すると、その選択量に応じた各要素量がＲＡＭ１４内の水量レジスタ１４ｃ，光量レジスタ１４ｄ，肥料量レジスタ１４ｅにセットされ、この量選択された各成長要素が前記予め表示されたある成長度の植物キャラクタに与えられた場合の新たな成長度に対応する植物キャラクタが前記ＲＯＭ１３から選択されて表示されるので、植物の成長過程を画像として見れるだけでなく、実際にどのような条件が与えられた場合にどの程度成長するか等、現実的な感覚で成長させ表示することができ、例えば本物の植物を飼育しなくても、植物の育て方を容易に実習することができる。
【００４８】
次に、本発明の第２実施形態について説明する。図９は本発明の画像表示装置を搭載した第２の電子手帳の電子回路の構成を示すブロック図である。
【００４９】
この第２の電子手帳は、ＣＰＵ（中央処理装置）２１を備えている。前記ＣＰＵ２１は、キー入力部２２からのキー操作信号に応じて起動されるＲＯＭ２３に予め記憶されたシステムプログラムに従って回路各部の動作制御を司るもので、このＣＰＵ２１には、キー入力部２２，ＲＯＭ２３，ＲＡＭ２４の他、発振回路２１ｂ及び分周回路２１ｃからなるタイマ２１ａが接続され、さらに、表示駆動回路２５を介して液晶表示部２６が接続されている。
【００５０】
また、前記ＣＰＵ２１には、センサ制御部２７を介して温度センサ２８及び照度センサ２９が接続されている。前記キー入力部２２には、手帳データとして登録させる「名前」や「電話番号」を入力するための文字・テンキー２２ａが設けられていると共に、手帳モードと画像表示モードとを切換える際に操作される「モード」キー２２ｂ、前記文字・テンキー２２ａの操作に応じて入力された手帳データをＲＡＭ２４に登録させる際に操作される「書込み」キー２２ｃ、前記ＲＡＭ２４に登録された手帳データを検索表示する際に操作される「検索」キー２２ｄ、画像表示モードにおいて成長過程を表示すべき植物の種類（チューリップ「Ｔ＝０」又は麦「Ｔ＝１」）を選択する際に操作される「選択」キー２２ｅ等が設けられている。
【００５１】
前記ＲＯＭ２３には、ＣＰＵ１１を制御動作させるためのシステムプログラムの他、２種類の植物（チューリップ及び麦）それぞれの成長過程に対応する複数の植物画像データが予め記憶されている。
【００５２】
図１０は前記第２の電子手帳のＲＯＭ２３に予め記憶されている植物画像データを示す図である。すなわち、ＲＯＭ２３に記憶されている植物画像データとしては、「Ｍ＝１〜２１」でアドレスされる２１段階の植物成長過程に応じたチューリップ「Ｔ＝０」及び麦「Ｔ＝１」それぞれの植物キャラクタデータがビットマップデータとして記憶されている。
【００５３】
図１１は前記第２の電子手帳のＲＡＭ２４に備えられているレジスタの構成を示す図である。すなわち、前記ＲＡＭ２４には、「名前」及び「電話番号」からなる所定人数分の手帳データが手帳データポインタＰで示されるアドレスに登録される手帳データレジスタ２４ａ、液晶表示部２６に表示させるべき被表示データがイメージデータとして書込まれる表示レジスタ２４ｂ、タイマ２１ａからの計時パルス信号に応じた計時データが順次更新セットされる計時レジスタ２４ｃ、手帳モードで“０”，画像表示モードで“１”にセットされるモードフラグレジスタＮ、前記ＲＯＭ２３に記憶される植物キャラクタデータ（図１０参照）のアドレスを示す植物アドレスレジスタＭ、同植物キャラクタデータ（図１０参照）の種類を示す種類レジスタＴ、及び前記計時レジスタ２４ｃにセットされる計時データに基づき１時間毎に温度センサ２８により検出される周囲環境温度が順次累積されて更新セットされる温度累積レジスタ２４ｄ、同じく１時間毎に照度センサ２９により検出される周囲環境照度が順次累積されて更新セットされる照度累積レジスタ２４ｅが備えられている。
【００５４】
前記液晶表示部２６には、手帳モードでは、文字・テンキー２２ａの操作に応じて入力された手帳データか、あるいは「検索」キー２２ｄの操作に応じてＲＡＭ２４の手帳データレジスタ２４ａから検索された手帳データの何れかが表示される。
【００５５】
また、画像表示モードでは、ＲＡＭ２４の植物アドレスレジスタＭにて示される植物アドレス及び種類レジスタＴにて示される植物の種類に応じてＲＯＭ２３から読出された何れか１つの成長過程にあるチューリップ又は麦の植物キャラクタデータが表示される。
【００５６】
ここで、前記ＲＡＭ２４内の植物アドレスレジスタＭには、前記計時レジスタ２４ｃにセットされる計時データに基づき２４時間経過した際に、前記温度累積レジスタ２４ｄ及び照度累積レジスタ２４ｅにセットされている温度累積値及び照度累積値に応じた成長度に対応する何れか１つの植物アドレス“１”〜“２１”が選択されてセットされる。
【００５７】
一方、タイマ２１ａはＣＰＵ２１に対しその計時パルス信号を常時供給し、ＲＡＭ２４内の計時レジスタ２４ｃにセットされる計時データを順次更新させるもので、前記温度累積レジスタ２４ｄ及び照度累積レジスタ２４ｅにセットされる温度累積値及び照度累積値は、前記計時データに基づき２４時間経過する毎に読出されてクリアされる。
【００５８】
次に、前記構成による第２の電子手帳の動作について説明する。図１２は前記第２の電子手帳の全体処理を示すフローチャートである。図１３は前記第２の電子手帳の画像表示モード処理における植物選択処理を示すフローチャートである。
【００５９】
すなわち、キー入力部２２における「モード」キー２２ｂを操作した際に、ＲＡＭ２４のモードフラグレジスタＮに“０”がセットされている場合、つまり、現在、ＣＰＵ２１が手帳モードに設定されている場合には、該モードフラグレジスタＮに“１”がセットされ、ＣＰＵ２１は画像表示モードに切換え設定される（ステップＸ１→Ｘ２→Ｘ３→Ｘ４）。
【００６０】
また、前記「モード」キー２２ｂを操作した際に、ＲＡＭ２４のモードフラグレジスタＮに“１”がセットされている場合、つまり、現在、ＣＰＵ２１が画像表示モードに設定されている場合には、該モードフラグレジスタＮに“０”がセットされ、ＣＰＵ２１は手帳モードに切換え設定される（ステップＸ１→Ｘ２→Ｘ３→Ｘ５）。
【００６１】
そして、前記ＲＡＭ２４のモードフラグレジスタＮに“０”がセットされている手帳モードにあっては、ＣＰＵ２１により前記第１の電子手帳同様の手帳モード処理（図６参照）が実行される（ステップＸ６→ＸＡ）。
【００６２】
また、モードフラグレジスタＮに“１”がセットされている画像表示モードにあっては、ＣＰＵ２１により画像表示モード処理（図１３参照）が実行される（ステップＸ６→ＸＣ）。
【００６３】
そして、前記ＲＡＭ２４内のモードフラグレジスタＮに“１”がセットされている画像表示モードにあっては、ＲＡＭ２４の植物アドレスレジスタＭにて示される植物アドレス及び種類レジスタＴにて示される植物の種類に応じてＲＯＭ２３から読出された何れか１つの成長過程にあるチューリップ又は麦の植物キャラクタデータが表示される（ステップＸ７→Ｘ８）。
【００６４】
一方、タイマ２１ａからＣＰＵ２１に対して計時パルス信号が供給され、ＲＡＭ２４内の計時レジスタ２４ｃにセットされる計時データが更新される度に、該計時データに基づき１時間経過の有無が判断されるので、この１時間経過が判断されない状態では、前記ステップＸ７に進み、画像表示モードに設定されている場合には、ＲＡＭ２４の植物アドレスレジスタＭにて示される植物アドレス及び種類レジスタＴにて示される植物の種類に応じてＲＯＭ２３から読出された何れか１つの成長過程にあるチューリップ又は麦の植物キャラクタデータが繰返し表示される（ステップＸ１→Ｘ９，Ｘ１０→Ｘ７→Ｘ８）。
【００６５】
また、前記ステップＸ１０において、「ＹＥＳ」、つまり、タイマ２１ａからの計時パルス信号によってＲＡＭ２４内の計時レジスタ２４ｃにセットされる計時データが更新された際に、１時間経過したと判断された場合には、温度センサ２８により検出される周囲環境の温度及び照度センサ２９により検出される周囲環境の照度が、それぞれセンサ制御部２７を介してＣＰＵ２１により測定され、ＲＡＭ２４内の温度累積レジスタ２４ｄ及び照度累積レジスタ２４ｅに対して各測定値が累積されて記憶される（ステップＸ１０→Ｘ１１，Ｘ１２，Ｘ１３）。
【００６６】
すると、ステップＸ１４において、前記計時レジスタ２４ｃにセットされた計時データに基づき、２４時間経過の有無が判断されるが、この２４時間経過がなしと判断された状態では、前記ステップＸ７に進み、画像表示モードに設定されている場合には、ＲＡＭ２４の植物アドレスレジスタＭにて示される植物アドレス及び種類レジスタＴにて示される植物の種類に応じてＲＯＭ２３から読出された何れか１つの成長過程にあるチューリップ又は麦の植物キャラクタデータが繰返し表示される（ステップＸ１４→Ｘ７→Ｘ８）。
【００６７】
すなわち、前記ステップＸ１０において１時間経過が判断される毎に周囲環境温度及び照度が測定され、温度累積レジスタ２４ｄ及び照度累積レジスタ２４ｅに対し、その温度測定値及び照度測定値が累積されて記憶されるもので、この後、ステップＸ１４において「ＹＥＳ」、つまり、計時レジスタ２４ｃに更新セットされた計時データに基づき２４時間経過したと判断された場合には、前記温度累積レジスタ２４ｄ及び照度累積レジスタ２４ｅに記憶された２４時間の累積温度及び累積照度が、それぞれ一定値以上に達したか否か判断される（ステップＸ１４→Ｘ１５）。
【００６８】
このステップＸ１５において「ＹＥＳ」、つまり、前記２４時間の累積温度及び累積照度が、それぞれ植物の成長に必要な一定値以上に達したと判断された場合には、現在、植物アドレジスタＭにセットされている植物アドレスＭが“２０”又は“２１”かが判断される（ステップＸ１６）。
【００６９】
つまり、このステップＸ１６では、前記植物アドレスＭに従ってＲＯＭ２３から読出されて液晶表示部２６に表示されている植物キャラクタが、既に成長の終った第２０成長度又は第２１成長度にあるか否かが判断されるもので、例えば現在の植物アドレスＭが“２”であることで、ステップＸ１６において「ＮＯ」と判断されると、該植物アドレス「Ｍ＝２」は（＋１）されて「Ｍ＝３」に更新される（ステップＸ１６→Ｘ１７）。
【００７０】
すると、前記温度累積レジスタ２４ｄ及び照度累積レジスタ２４ｅに記憶されている温度累積値及び照度累積値がクリアされた後、画像表示モードに設定されている場合には、種類レジスタＴで示されるチューリップ又は麦の植物アドレスレジスタ「Ｍ＝３」にて示される第３成長度の植物キャラクタ（図１０参照）が読出され、液晶表示部２６に対し入替え表示される（ステップＸ２０，Ｘ７→Ｘ８）。
【００７１】
すなわち、２４時間の累積温度及び累積照度が、それぞれ植物の成長に必要な一定値以上に達した際に、現在選択されている植物アドレスＭが“１”〜“１９”の成長可能範囲内にある場合には、該植物アドレスＭが（＋１）されることにより、１ステップ成長した植物キャラクタが表示されるようになる。
【００７２】
また、前記ステップＸ１５において「ＹＥＳ」、つまり、２４時間の累積温度及び累積照度が、それぞれ植物の成長に必要な一定値以上に達したと判断されても、前記ステップＸ１６において「ＹＥＳ」、つまり、現在の植物成長度が既に成長の終った第２０成長度「Ｍ＝２０」又は第２１成長度「Ｍ＝２１」にあると判断された場合には、植物アドレスＭは“１”にセットされ、対応する第１成長度のチューリップ又は麦の植物キャラクタ（図１０参照）が液晶表示部２６に入替え表示される（ステップＸ１６→Ｘ１８，Ｘ２０，Ｘ７→Ｘ８）。
【００７３】
また、前記ステップＸ１５において「ＮＯ」、つまり、２４時間の累積温度及び累積照度が、それぞれ植物の成長に必要な一定値以上に達しないと判断された場合には、植物アドレスＭは“２１”（第２１成長度）にセットされ、最終成長状態にあるチューリップ又は麦の枯れた植物キャラクタ（図１０参照）が液晶表示部２６に入替え表示される（ステップＸ１５→Ｘ１９，Ｘ２０，Ｘ７→Ｘ８）。
【００７４】
一方、前記ＲＡＭ２４内のモードフラグレジスタＮに“１”がセットされ、種類レジスタＴにセットされている被表示植物キャラクタの種類及び植物アドレスレジスタＭにセットされている被表示植物アドレスに対応する植物キャラクタがＲＯＭ２３から読出されて液晶表示部２６に表示されている画像表示モードにあって、キー入力部２２における「選択」キー２２ｅを操作すると、図１３における画像表示モード処理における植物選択処理が起動される。
【００７５】
すなわち、ＲＡＭ２４の種類レジスタＴに“０”がセットされている場合、つまり、現在の被表示植物キャラクタの種類が“チューリップ”に設定されている場合には、該種類レジスタＴに“１”がセットされ、被表示植物キャラクタの種類は“麦”に切換え設定される（ステップＣ１→Ｃ２→Ｃ３）。
【００７６】
また、前記「選択」キー２２ｅを操作した際に、ＲＡＭ２４の種類レジスタＴに“１”がセットされている場合、つまり、現在の被表示植物キャラクタの種類が“麦”に設定されている場合には、該種類レジスタＴに“０”がセットされ、被表示植物キャラクタの種類は“チューリップ”に切換え設定される（ステップＣ１→Ｃ２→Ｃ４）。
【００７７】
そして、前記被表示植物キャラクタの種類が“チューリップ”から“麦”へ、また、“麦”から“チューリップ”へ切換えられた場合の何れの場合でも、被表示植物アドレスＭは成長初期を示す“１”にセットされる（ステップＣ５）。
【００７８】
したがって、前記構成の第２の電子手帳によれば、予めＲＯＭ２３に記憶された第１〜第２１成長度「Ｍ＝１〜２１」の植物キャラクタの１つを液晶表示部２６に表示させた状態で、タイマ２１ａからの計時パルス信号によりＲＡＭ２４内の計時データが更新され、この計時データに基づき１時間経過が判断される毎に、温度センサ２８及び照度センサ２９により周囲環境温度及び照度が検出されて温度累積レジスタ２４ｄ及び照度累積レジスタ２４ｅに順次累積されて記憶され、２４時間経過した際の温度及び照度の各累積値がそれぞれ一定値以上であるか否か及び現在表示されている植物キャラクタの成長度に応じて、新たな成長度に対応する植物キャラクタが前記ＲＯＭ２３から選択されて表示されるので、植物の成長過程を画像として見れるだけでなく、実際の環境変化に対してどのように成長するか等、現実的な環境条件で成長させ表示することができ、例えば本物の植物を飼育しなくても、環境変化に応じた植物の成長状況を容易に実習することができる。
【００７９】
なお、前記第２実施形態では、２４時間毎の温度及び照度累積値に従って、新たな成長度の植物キャラクタをＲＯＭ２３から選択する構成としたが、この成長度を選択する時間間隔は任意に設定してもよい。
【００８０】
また、前記第２実施形態では、植物の周囲環境を検出するセンサとして、温度センサ２８及び照度センサ２９を使用したが、この２つのセンサ以外にも、湿度センサ等を併用することにより、より現実的な環境条件で植物キャラクタを成長させ表示することができる。
【００８１】
さらに、前記第１実施形態における植物成長要素（水，光，肥料）の選択状態と、前記第２実施形態における環境測定状態との組合せに応じて、被表示植物キャラクタの成長度を決定する構成とすれば、より現実的な感覚で植物キャラクタを成長させ表示することができる。また、前記各実施形態では、植物の成長過程を表示する構成としたが、犬や猫等の動物の成長過程も同様にして表示してもよい。
【図面の簡単な説明】
【００８２】
【図１】本発明の第１実施形態に係わる画像表示装置を搭載した第１の電子手帳の電子回路の構成を示すブロック図。
【図２】前記第１の電子手帳のＲＯＭに予め記憶された要素画像データを示す図。
【図３】前記第１の電子手帳のＲＯＭに予め記憶されている植物画像データを示す図。
【図４】前記第１の電子手帳のＲＡＭに備えられるレジスタの構成を示す図。
【図５】前記第１の電子手帳の全体処理を示すフローチャート。
【図６】前記第１の電子手帳における手帳モード処理を示すフローチャート。
【図７】前記第１の電子手帳における画像表示モード処理を示すフローチャート。
【図８】前記第１の電子手帳における画像表示モード処理に伴なうキャラクタ表示状態を示す図であり、同図（Ａ）は植物アドレス「Ｍ＝１」に対応する植物キャラクタの表示状態を示す図、同図（Ｂ）は各要素量の選択に伴なう水要素キャラクタの表示状態を示す図、同図（Ｃ）は各要素量の選択書込みにより新たに選択された植物アドレス「Ｍ＝２」に対応する植物キャラクタの表示状態を示す図。
【図９】本発明の第２実施形態に係わる画像表示装置を搭載した第２の電子手帳の電子回路の構成を示すブロック図。
【図１０】前記第２の電子手帳のＲＯＭに予め記憶されている植物画像データを示す図。
【図１１】前記第２の電子手帳のＲＡＭに備えられているレジスタの構成を示す図。
【図１２】前記第２の電子手帳の全体処理を示すフローチャート。
【図１３】前記第２の電子手帳の画像表示モード処理における植物選択処理を示すフローチャート。
【符号の説明】
【００８３】
１１  …ＣＰＵ（中央処理装置）、
１２  …キー入力部、
１２ａ…文字キー、
１２ｂ…テンキー、
１２ｃ…「モード」キー、
１２ｄ…「検索」キー、
１２ｅ…「書込み」キー、
１３  …ＲＯＭ、
１４  …ＲＡＭ、
１４ａ…手帳データレジスタ、
１４ｂ…表示レジスタ、
１４ｃ…水量レジスタ、
１４ｄ…光量レジスタ、
１４ｅ…肥料量レジスタ、
１５  …表示駆動回路、
１６  …液晶表示部、
２１  …ＣＰＵ（中央処理装置）、
２１ａ…タイマ、
２１ｂ…発振回路、
２１ｃ…分周回路、
２２  …キー入力部、
２２ａ…文字・テンキー、
２２ｂ…「モード」キー、
２２ｃ…「書込み」キー、
２２ｄ…「検索」キー、
２２ｅ…「選択」キー、
２３  …ＲＯＭ、
２４  …ＲＡＭ、
２４ａ…手帳データレジスタ、
２４ｂ…表示レジスタ、
２４ｃ…計時レジスタ、
２４ｄ…温度累積レジスタ、
２４ｅ…照度累積レジスタ、
２５  …表示駆動回路、
２６  …液晶表示部、
２７  …センサ制御部、
２８  …温度センサ、
２９  …照度センサ、
Ｎ  …モードフラグレジスタ、
Ｐ  …手帳データポインタ、
Ｍ  …植物アドレスレジスタ、
Ｔ  …種類レジスタ。
【図１】
2008052300.tif 000003
【図２】
2008052300.tif 000004
【図３】
2008052300.tif 000005
【図４】
2008052300.tif 000006
【図５】
2008052300.tif 000007
【図６】
2008052300.tif 000008
【図７】
2008052300.tif 000009
【図８】
2008052300.tif 000010
【図９】
2008052300.tif 000011
【図１０】
2008052300.tif 000012
【図１１】
2008052300.tif 000013
【図１２】
2008052300.tif 000014
【図１３】
2008052300.tif 000015
【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
予め定められた生物の成長過程それぞれに対応した複数の生物画像を成長に従って表示部に表示させる画像表示制御装置において、
前記複数の生物画像が複数種類記憶されている生物画像記憶手段と、
この生物画像記憶手段に記憶されている複数種類の生物画像のなかから一種類の生物画像を選択する選択手段と、
計時パルス信号を計時して計時データを得る計時手段と、
前記生物の成長を制御するための値を記憶値として記憶する記憶手段と、
前記計時手段で得られた計時データに基づき、予め定められた時間が経過し、かつ、前記記憶手段に記憶された記憶値が予め定められた値以上になったことが判断された際に、前記選択手段により選択された一種類の生物画像の次の成長過程の生物画像を前記生物画像記憶手段に記憶されている複数の生物画像の中から読み出して前記表示部に表示させるように制御する表示制御手段と、
を備えたことを特徴とする画像表示制御装置。
【請求項２】
予め定められた生物の成長過程それぞれに対応した複数の生物画像を成長に従って表示部に表示させる画像表示制御装置において、
前記複数の生物画像が複数種類記憶されている生物画像記憶手段と、
この生物画像記憶手段に記憶されている複数種類の生物画像のなかから一種類の生物画像を選択する選択手段と、
計時パルス信号を計時して計時データを得る計時手段と、
前記生物の成長を制御するための値を記憶値として記憶する記憶手段と、
前記計時手段で得られた計時データに基づいて、予め定められた時間が経過する都度、前記記憶手段に記憶された記憶値が予め定められた値以上となったか否かを判別し、前記記憶値が予め定められた値以上であると判別される都度、前記生物画像記憶手段に記憶されている複数の生物画像の中から、前記選択手段により選択されている種類の生物画像の次の成長過程の生物画像を読み出して前記表示部に表示させるように制御する表示制御手段と、
を備えたことを特徴とする画像表示制御装置。
【請求項３】
予め定められた生物の成長過程それぞれに対応した複数の生物画像を成長に従って表示させる表示部、前記複数の生物画像が複数種類記憶されている生物画像記憶手段、および、この生物画像記憶手段をアクセスし、この生物画像記憶手段に記憶されている複数種類の生物画像のなかから一種類の生物画像を選択する選択手段とを備えている画像表示制御装置に用いられる画像表示制御方法において、
計時パルス信号を計時して計時データを得る計時ステップと、
前記生物の成長を制御するための値を記憶値として記憶する記憶ステップと、
前記計時ステップで得られた計時データに基づき、予め定められた時間が経過し、かつ、前記記憶ステップにて記憶された記憶値が予め定められた値以上になったことが判断された際に、前記選択手段により選択された一種類の生物画像の次の成長過程の生物画像を前記生物画像記憶手段に記憶されている複数の生物画像の中から読み出して前記表示部に表示させるように制御する表示制御ステップと、
を備えたことを特徴とする画像表示制御方法。
【請求項４】
予め定められた生物の成長過程それぞれに対応した複数の生物画像を成長に従って表示させる表示部、前記複数の生物画像が複数種類記憶されている生物画像記憶手段、および、この生物画像記憶手段をアクセスし、この生物画像記憶手段に記憶されている複数種類の生物画像のなかから一種類の生物画像を選択する選択手段とを備えている画像表示制御装置に用いられる画像表示制御方法において、
計時パルス信号を計時して計時データを得る計時ステップと、
前記生物の成長を制御するための値を記憶値として記憶する記憶ステップと、
前記計時ステップで得られた計時データに基づいて、予め定められた時間が経過する都度、前記記憶ステップにて記憶された記憶値が予め定められた値以上となったか否かを判別し、前記記憶値が予め定められた値以上であると判別される都度、前記生物画像記憶手段に記憶されている複数の生物画像の中から、前記選択手段により選択されている種類の生物画像の次の成長過程の生物画像を読み出して前記表示部に表示させるように制御する表示制御ステップと、
を備えたことを特徴とする画像表示制御方法。
【手続補正３】
【補正対象書類名】明細書
【補正対象項目名】０００１
【補正方法】変更
【補正の内容】
【０００１】
本発明は、例えば携帯可能な電子式の手帳や電子ゲーム器等の電子機器において、動物や植物等の生物の成長過程を画像として表示する画像表示制御装置及び画像表示制御方法に関する。
【手続補正４】
【補正対象書類名】明細書
【補正対象項目名】０００４
【補正方法】変更
【補正の内容】
【０００４】
本発明は前記課題に鑑みなされたもので、動物や植物等の複数種類の生物画像を、現実的な感覚で、成長過程に従って表示させることが可能になる画像表示制御装置および画像表示制御方法を提供することを目的とする。
【手続補正５】
【補正対象書類名】明細書
【補正対象項目名】０００５
【補正方法】変更
【補正の内容】
【０００５】
このような目的を達成するために、本発明は次のような特徴を備えている。なお、各構成要素に付けられている数字等は実施の形態における図面参照符号等である。
すなわち、本発明に係わる第１の画像表示制御装置は、
予め定められた生物の成長過程それぞれに対応した複数の生物画像を成長に従って表示部（図９の表示部２６）に表示させる画像表示制御装置において、
前記複数の生物画像が複数種類記憶されている生物画像記憶手段（図９、図１０のＲＯＭ２３；［００５２］）と、
この生物画像記憶手段に記憶されている複数種類の生物画像のなかから一種類の生物画像（図１０の「チューリップ」または「麦」）を選択する選択手段（図９の選択キー２２ｅ）と、
計時パルス信号を計時して計時データを得る計時手段（図９のタイマ２１ａ）と、
前記生物の成長を制御するための値を記憶値として記憶する記憶手段（図９、図１１の２４；図１１の累積レジスタ２４ｄ、累積レジスタ２４ｅ）と、
前記計時手段で得られた計時データに基づき、予め定められた時間が経過し（図１２のＸ１４：［００６７］）、かつ、前記記憶手段に記憶された記憶値が予め定められた値以上になったこと（図１２のＸ１５：［００６８］）が判断された際に、前記選択手段により選択された一種類の生物画像の次の成長過程の生物画像を前記生物画像記憶手段に記憶されている複数の生物画像の中から読み出して前記表示部に表示（図１２のＸ８；［００７１］）させるように制御する表示制御手段（図９のＣＰＵ２１；［００７８］）と、
を備えたことを特徴とする。
【手続補正６】
【補正対象書類名】明細書
【補正対象項目名】０００６
【補正方法】変更
【補正の内容】
【０００６】
また、本発明に係わる第２の画像表示制御装置は、
予め定められた生物の成長過程それぞれに対応した複数の生物画像を成長に従って表示部（図９の表示部２６）に表示させる画像表示制御装置において、
前記複数の生物画像が複数種類記憶されている生物画像記憶手段（図９、図１０のＲＯＭ２３）と、
この生物画像記憶手段に記憶されている複数種類の生物画像のなかから一種類の生物画像（図１０の「チューリップ」または「麦」）を選択する選択手段（図９の選択キー２２ｅ）と、
計時パルス信号を計時して計時データを得る計時手段（図９のタイマ２１ａ）と、
前記生物の成長を制御するための値を記憶値として記憶する記憶手段（図９、図１１の累積レジスタ２４；図１１の累積レジスタ２４ｄ、累積レジスタ２４ｅ）と、
前記計時手段で得られた計時データに基づいて、予め定められた時間が経過する都度、前記記憶手段に記憶された記憶値が予め定められた値以上となったか否かを判別し、前記記憶値が予め定められた値以上であると判別される都度、前記生物画像記憶手段に記憶されている複数の生物画像の中から、前記選択手段により選択されている種類の生物画像の次の成長過程の生物画像を読み出して前記表示部に表示（図１２のＸ８；［００７１］）させるように制御する表示制御手段（図９のＣＰＵ２１；［００７８］）と、
を備えたことを特徴とする。
【手続補正７】
【補正対象書類名】明細書
【補正対象項目名】０００７
【補正方法】変更
【補正の内容】
【０００７】
また、本発明に係わる第１の画像表示制御方法は、
予め定められた生物の成長過程それぞれに対応した複数の生物画像を成長に従って表示させる表示部（図９の表示部２６）、前記複数の生物画像が複数種類記憶されている生物画像記憶手段（図９、図１０のＲＯＭ２３）、および、この生物画像記憶手段をアクセスし、この生物画像記憶手段に記憶されている複数種類の生物画像のなかから一種類の生物画像（図１０の「チューリップ」または「麦」）を選択する選択手段（図９の選択キー２２ｅ）とを備えている画像表示制御装置に用いられる画像表示制御方法において、
計時パルス信号を計時して計時データを得る計時ステップ（図１２のＸ９）と、
前記生物の成長を制御するための値を記憶値として記憶する記憶ステップ（図１２のＸ１３）と、
前記計時ステップで得られた計時データに基づき、予め定められた時間が経過し（図１２のＸ１４：［００６７］［００６８］）、かつ、前記記憶ステップにて記憶された記憶値が予め定められた値以上になったことが判断された際に、前記選択手段により選択された一種類の生物画像の次の成長過程の生物画像を前記生物画像記憶手段に記憶されている複数の生物画像の中から読み出して前記表示部に表示（図１２のＸ８；［００７１］）させるように制御する表示制御ステップ（図１２のＸ８；［００７８］）と、
を備えたことを特徴とする。
【手続補正８】
【補正対象書類名】明細書
【補正対象項目名】０００８
【補正方法】変更
【補正の内容】
【０００８】
また、本発明に係わる第２の画像表示制御方法は、
予め定められた生物の成長過程それぞれに対応した複数の生物画像を成長に従って表示させる表示部（図９の表示部２６）、前記複数の生物画像が複数種類記憶されている生物画像記憶手段（図９、図１０のＲＯＭ２３）、および、この生物画像記憶手段をアクセスし、この生物画像記憶手段に記憶されている複数種類の生物画像のなかから一種類の生物画像（図１０の「チューリップ」または「麦」）を選択する選択手段（図９の選択キー２２ｅ）とを備えている画像表示制御装置に用いられる画像表示制御方法において、
計時パルス信号を計時して計時データを得る計時ステップ（図１２のＸ９）と、
前記生物の成長を制御するための値を記憶値として記憶する記憶ステップ（図１２のＸ１３）と、
前記計時ステップで得られた計時データに基づいて、予め定められた時間が経過する都度、前記記憶ステップにて記憶された記憶値が予め定められた値以上となったか否かを判別し、前記記憶値が予め定められた値以上であると判別される都度、前記生物画像記憶手段に記憶されている複数の生物画像の中から、前記選択手段により選択されている種類の生物画像の次の成長過程の生物画像を読み出して前記表示部に表示（図１２のＸ８；［００７１］）させるように制御する表示制御ステップ（図１２のＸ８；［００７８］）と、
を備えたことを特徴とする。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】変更
【補正の内容】
【００１１】
以上の説明から明らかなように、第１の画像表示制御装置によれば、生物画像記憶手段に記憶されている複数種類の生物画像のなかから一種類の生物画像を選択手段により選択した後、計時手段で得られた計時データに基づき、予め定められた時間が経過し、かつ、記憶手段に記憶された記憶値が予め定められた値以上になったことが判断された際に、前記選択手段により選択された一種類の生物画像の次の成長過程の生物画像を前記生物画像記憶手段に記憶されている複数の生物画像の中から読み出して表示部に表示させるように制御することができる。
また、第２の画像表示制御装置によれば、生物画像記憶手段に記憶されている複数種類の生物画像のなかから一種類の生物画像を選択手段により選択した後、計時手段で得られた計時データに基づいて、予め定められた時間が経過する都度、記憶手段に記憶された記憶値が予め定められた値以上となったか否かを判別し、前記記憶値が予め定められた値以上であると判別される都度、前記生物画像記憶手段に記憶されている複数の生物画像の中から、前記選択手段により選択されている種類の生物画像の次の成長過程の生物画像を読み出して表示部に表示させるように制御することができる。
また、第１の画像表示制御方法によれば、生物画像記憶手段に記憶されている複数種類の生物画像のなかから一種類の生物画像を選択した後、計時ステップで得られた計時データに基づき、予め定められた時間が経過し、かつ、記憶ステップにて記憶された記憶値が予め定められた値以上になったことが判断された際に、選択された一種類の生物画像の次の成長過程の生物画像を前記生物画像記憶手段に記憶されている複数の生物画像の中から読み出して表示部に表示させるように制御することができる。
【手続補正１２】
【補正対象書類名】明細書
【補正対象項目名】００１２
【補正方法】変更
【補正の内容】
【００１２】
また、第２の画像表示制御方法によれば、生物画像記憶手段に記憶されている複数種類の生物画像のなかから一種類の生物画像を選択した後、計時ステップで得られた計時データに基づいて、予め定められた時間が経過する都度、記憶ステップにて記憶された記憶値が予め定められた値以上となったか否かを判別し、前記記憶値が予め定められた値以上であると判別される都度、前記生物画像記憶手段に記憶されている複数の生物画像の中から、選択されている種類の生物画像の次の成長過程の生物画像を読み出して表示部に表示させるように制御することができる。
この結果、現実の動物や植物等の生物の場合と同様に、現実的な感覚で、生物画像を成長過程に従って順次表示させることが可能になる。
【手続補正１３】
【補正対象書類名】明細書
【補正対象項目名】００８１
【補正方法】変更
【補正の内容】
【００８１】
さらに、前記各実施形態では、植物の成長過程を表示する構成としたが、犬や猫等の動物の成長過程も同様にして表示してもよい。